(57)【特許請求の範囲】
【請求項１】
第１分圧ユニットと、第２分圧ユニットと、定電圧ユニットと、からなるアナログ調光変換回路であって、
前記第１分圧ユニットの入力端子は、アナログ調光入力信号を受信し、
前記第１分圧ユニットの出力端子は、第１中間電圧を出力し、
前記定電圧ユニットの出力端子は、定電圧の第２中間電圧を出力し、
前記第２分圧ユニットの第１入力端子と第２入力端子は、それぞれ前記第１中間電圧と前記第２中間電圧を受信し、
前記第２分圧ユニットの出力端子は、アナログ調光出力信号を出力する
ことを特徴とするアナログ調光変換回路。
【請求項２】
請求項１に記載のアナログ調光変換回路において、
前記第１分圧ユニットの出力端子且つ／或いは前記定電圧ユニットの出力端子には、電圧フォロワが設置される
ことを特徴とするアナログ調光変換回路。
【請求項３】
請求項１に記載のアナログ調光変換回路において、
前記第１分圧ユニットは、入力端子とアースの間に直列接続された第１抵抗器と第２抵抗器を備え、
前記第１抵抗器と前記第２抵抗器の間は、前記第１分圧ユニットの出力端子である
ことを特徴とするアナログ調光変換回路。
【請求項４】
請求項３に記載のアナログ調光変換回路において、
前記第１抵抗器は、１１４ｋΩであり、
前記第２抵抗器は、２００ｋΩであり、
前記アナログ調光入力信号の範囲は、０Ｖから３．３Ｖの間である
ことを特徴とするアナログ調光変換回路。
【請求項５】
請求項１に記載のアナログ調光変換回路において、
前記定電圧ユニットは、基準電圧源と、前記基準電圧源とアースの間に直列接続された第３抵抗器と第４抵抗器を備え、
前記第３抵抗器と前記第４抵抗器の間は、前記定電圧ユニットの出力端子である
ことを特徴とするアナログ調光変換回路。
【請求項６】
請求項５に記載のアナログ調光変換回路において、
前記第３抵抗器は、１８２ｋΩであり、
前記第４抵抗器は、２０ｋΩである
ことを特徴とするアナログ調光変換回路。
【請求項７】
請求項１に記載のアナログ調光変換回路において、
前記第２分圧ユニットは、第１入力端子と第２入力端子の間に直列接続された第５抵抗器と第６抵抗器を備え、
前記第５抵抗器と前記第６抵抗器の間は、前記第２分圧ユニットの出力端子である
ことを特徴とするアナログ調光変換回路。
【請求項８】
請求項７に記載のアナログ調光変換回路において、
前記第５抵抗器は、８３ｋΩであり、前記第６抵抗器は、１５ｋΩである
ことを特徴とするアナログ調光変換回路。
【請求項９】
アナログ調光回路と、アナログ調光変換回路と、からなる表示装置であって、
前記アナログ調光変換回路は、前記アナログ調光回路にアナログ調光出力信号を出力し、
前記アナログ調光変換回路は、第１分圧ユニットと、第２分圧ユニットと、定電圧ユニットと、からなり、
前記第１分圧ユニットの入力端子は、アナログ調光入力信号を受信し、
前記第１分圧ユニットの出力端子は、第１中間電圧を出力し、
前記定電圧ユニットの出力端子は、定電圧の第２中間電圧を出力し、
前記第２分圧ユニットの第１入力端子と第２入力端子は、それぞれ前記第１中間電圧と前記第２中間電圧を受信し、
前記第２分圧ユニットの出力端子は、アナログ調光出力信号を出力する
ことを特徴とする表示装置。
【発明の詳細な説明】
【技術分野】
【０００１】
本発明は、２０１４年１０月２０日に提出した申請番号ＣＮ２０１４１０５５９６１１．Ｘ・発明名称「アナログ調光変換回路及び表示装置」の先願優先権を要求し、前記先願の内容は引用で本文中に合併される。
【０００２】
本発明は、表示技術分野に関し、具体的には、アナログ調光変換回路及び表示装置に関する。
【背景技術】
【０００３】
表示技術の発展に伴い、液晶表示装置は、最もよく見られる表示デバイスとなっている。現在、ますます多くの液晶表示装置において、白色発光ダイオード（Ｌｉｇｈｔ−Ｅｍｉｔｔｉｎｇ  Ｄｉｏｄｅ、略称ＬＥＤ）がバックライト源として採用されているとともに、製品設計者の多くが、ＬＥＤの輝度を異なる適用場面に対応して変化できることを望んでいる。よって、ＬＥＤの駆動装置は、輝度の調節機能を備えることが必要とされている。
【０００４】
アナログ調光（Ａｎａｌｏｇ  Ｄｉｍｍｉｎｇ、略称ＡＤＩＭ）技術は、従来のパルス幅調光（ＰＷＭ  Ｄｉｍｍｉｎｇ）と比べて、騒音がない等の長所を備える。しかしながら、従来のアナログ調光技術が提供できる調光範囲は狭く、通常大きさが０．５Ｖから２．５  Ｖの間の調光信号においてのみ線形調光を行うことができる。調光信号が０Ｖから０．５Ｖまたは２．５Ｖより大きい場合、アナログ調光を行うことができないが、表示過程において、調光信号の大きさは通常０Ｖから３．３Ｖの間である。従来のアナログ調光技術は調光範囲が狭いため、調光能力に比較的劣るという技術問題が存在する。
【発明の概要】
【発明が解決しようとする課題】
【０００５】
本発明は、従来のアナログ調光技術に存在する調光能力に劣るという技術問題を解決するアナログ調光変換回路及び表示装置を提供することを目的とする。
【課題を解決するための手段】
【０００６】
本発明が提供するアナログ調光変換回路は、第１分圧ユニットと、第２分圧ユニットと、定電圧ユニットと、からなる。
【０００７】
前記第１分圧ユニットの入力端子は、アナログ調光入力信号を受信し、前記第１分圧ユニットの出力端子は、第１中間電圧を出力する。
【０００８】
前記定電圧ユニットの出力端子は、定電圧の第２中間電圧を出力する。
【０００９】
前記第２分圧ユニットの第１入力端子と第２入力端子は、それぞれ前記第１中間電圧と前記第２中間電圧を受信し、前記第２分圧ユニットの出力端子は、アナログ調光出力信号を出力する。
【００１０】
さらに、前記第２分圧ユニットの出力端子は、ダイオードに接続され、２Ｄ／３Ｄ変換信号は、前記ダイオードによって前記第２分圧ユニットの出力端子に接続される。
【００１１】
さらに、前記第１分圧ユニットの出力端子且つ／或いは前記定電圧ユニットの出力端子には、電圧フォロワが設置される。
【００１２】
前記第１分圧ユニットは、入力端子とアースの間に直列接続された第１抵抗器と第２抵抗器を備え、前記第１抵抗器と前記第２抵抗器の間は、前記第１分圧ユニットの出力端子であることが好ましい。前記第１抵抗器は、１１４ｋΩであり、前記第２抵抗器は、２００ｋΩであり、前記アナログ調光入力信号の範囲は、０Ｖから３．３Ｖの間であることが好ましい。
【００１３】
前記定電圧ユニットは、基準電圧源と、前記基準電圧源とアースの間に直列接続された第３抵抗器と第４抵抗器を備え、前記第３抵抗器と前記第４抵抗器の間は、前記定電圧ユニットの出力端子であることが好ましい。前記第３抵抗器は、１８２ｋΩであり、前記第４抵抗器は、２０ｋΩであることが好ましい。
【００１４】
前記第２分圧ユニットは、第１入力端子と第２入力端子の間に直列接続された第５抵抗器と第６抵抗器を備え、前記第５抵抗器と前記第６抵抗器の間は、前記第２分圧ユニットの出力端子であることが好ましい。前記第５抵抗器は、８３ｋΩであり、前記第６抵抗器は、１５ｋΩであることが好ましい。
【００１５】
本発明は、さらにアナログ調光回路と、上述のアナログ調光変換回路と、からなる表示装置を提供する。前記アナログ調光変換回路は、前記アナログ調光回路にアナログ調光出力信号を出力する。
【発明の効果】
【００１６】
本発明が提供するアナログ調光変換回路において、第１分圧ユニットは、電圧範囲が比較的広いアナログ調光入力信号を電圧範囲が比較的狭い第１中間電圧に変換することができると同時に、定電圧ユニットは、定電圧の第２中間電圧を出力する。第２分圧ユニットは、第１中間電圧と第２中間電圧を分圧し、出力されたアナログ調光出力信号の電圧値は、第１中間電圧と第２中間電圧の間に介在することによって、アナログ調光出力信号の電圧範囲は、アナログ調光の効果的な調光範囲内（通常０．５Ｖから２．５Ｖ）になる。よって、本発明の提供するアナログ調光変換回路は、電圧範囲が比較的広いアナログ調光入力信号を電圧範囲が比較的狭いアナログ調光出力信号に変換することができるため、アナログ調光の調光範囲が拡大されることによって、アナログ調光の調光能力が向上される。
【００１７】
本発明のその他の特徴や長所は、以下の明細書において詳述するとともに、部分によっては、明細書によって分かりやすくなる、または実施例を通して分かりやすくなる。本発明の目的とその他の長所は、明細書、特許明細書、図において特別に指摘した構造によって実現され達成される。
【図面の簡単な説明】
【００１８】
本発明の実施例における技術案をさらに分かりやすく説明するため、以下に実施例を説明する際に必要とされる図について簡単に紹介する。
【図１】本発明の実施例が提供するアナログ調光変換回路を示した図である。
【図２】本発明の実施例が提供するアナログ調光変換回路の回路図である。
【発明を実施するための形態】
【００１９】
以下に、図と実施例を組み合わせて、本発明の実施方法について詳しく説明する。これによって、本発明において、技術手段をどのように適用して技術的問題を解決するか、また技術的効果を達成するための実現過程について、十分に理解することができるとともに、実施することができる。説明すべき点として、構造に矛盾がない限り、本発明の各実施例及び各実施例における特徴は、互いに組み合わせることができ、形成された技術案はすべて本発明の請求範囲内に含まれる。
【００２０】
本発明の実施例は、表示装置におけるアナログ調光の調光範囲を広げるアナログ調光変換回路を提供する。
【００２１】
図１に示すように、前記アナログ調光変換回路は、第１分圧ユニットと、第２分圧ユニットと、定電圧ユニットと、からなる。
【００２２】
第１分圧ユニットの入力端子は、アナログ調光入力信号ＶＡＤＩＭを受信し、電圧範囲が比較的広いＶＡＤＩＭを電圧範囲が比較的狭い第１中間電圧Ｖ１に変換するとともに、第１分圧ユニットの出力端子から第２分圧ユニットに出力する。定電圧ユニットにおいて１つの定電圧の第２中間電圧Ｖ２が生成されるとともに、定電圧ユニットの出力端子から第２分圧ユニットに出力される。
【００２３】
第２分圧ユニットの第１入力端子と第２入力端子は、それぞれＶ１とＶ２を受信し、Ｖ１とＶ２を分圧し、アナログ調光出力信号ＡＤＩＭを生成するとともに、第２分圧ユニットの出力端子から出力される。ＡＤＩＭの電圧地は、Ｖ１とＶ２の間に介在することによって、ＡＤＩＭの電圧範囲は、アナログ調光の効果的な調光範囲内（通常０．５Ｖから２．５Ｖ）になる。
【００２４】
よって、本発明の実施例が提供するアナログ調光変換回路は、電圧範囲が比較的広いＶＡＤＩＭを電圧範囲が比較的狭いＡＤＩＭに変換することができるため、アナログ調光の調光範囲が拡大されることによって、アナログ調光の調光能力が向上される。
【００２５】
本発明の提供するアナログ調光変換回路の１つの好ましい実施例を図２に示す。本実施例は、２Ｄ／３Ｄ変換機能を備える場面に適用される。そのうち、第２分圧ユニットの出力端子は、ダイオードＤ１に接続され、２Ｄ／３Ｄ変換信号３Ｄ＿ＥＤは、Ｄ１によって第２分圧ユニットの出力端子に接続される。２Ｄモードの時、３Ｄ＿ＥＤは低レベル信号である。３Ｄモードの時、３Ｄ＿ＥＤは高レベル信号であり、その電圧は通常３．３Ｖである。
【００２６】
図２に示すように、第１分圧ユニットは、入力端子とアースの間に直列接続された第１抵抗器と第２抵抗器を備え、前記第１抵抗器と前記第２抵抗器の間は、第１分圧ユニットの出力端子である。本実施例において、第１抵抗器は、直列接続されたＲ１とＲ２によって構成され、Ｒ１の抵抗値は５２ｋΩであり、Ｒ２の抵抗値は６２ｋΩであり、第１抵抗器の総抵抗値は１１４ｋΩである。第２抵抗器は、直列接続されたＲ３とＲ４によって構成され、Ｒ３とＲ４の抵抗値はどちらも１００ｋΩであり、第２抵抗器の総抵抗値は２００ｋΩである。この他にも、第１分圧ユニットの上方には、さらに基準電圧源ＶＲＥＦが設置され、第１抵抗器と第２抵抗器は、さらにフィルタコンデンサＣ１、Ｃ２を並列して備える。
【００２７】
２Ｄモードの時、第１分圧ユニットを入力するＶＡＤＩＭの範囲は、０Ｖから３．３Ｖの間であり、第１抵抗器と第２抵抗器の抵抗値に基づいて、算出することができ、第１分圧ユニットが出力するＶ１の大きさは、ＶＡＤＩＭの約０．６４倍であり、Ｖ１の範囲は、０Ｖから２．１Ｖの間である。
【００２８】
定電圧ユニットは、定電圧ユニットは、基準電圧源ＶＲＥＦと、ＶＲＥＦとアースの間に直列接続された第３抵抗器と第４抵抗器を備え、第３抵抗器と第４抵抗器の間は、定電圧ユニットの出力端子である。本実施例において、第３抵抗器は、直列接続されたＲ５とＲ６によって構成され、Ｒ５とＲ６の抵抗値はどちらも９１ｋΩであり、第３抵抗器の総抵抗値は１８２ｋΩである。第４抵抗器は、直列接続されたＲ７とＲ８によって構成され、Ｒ７とＲ８の抵抗値はどちらも１０ｋΩであり、第４抵抗器の総抵抗値は２０ｋΩである。
【００２９】
ＶＲＥＦの電圧値は、５．９５Ｖであり、第３抵抗器と第４抵抗器の抵抗値に基づいて、算出することができ、定電圧ユニットが出力するＶ２の大きさは、ＶＲＥＦの約０．１倍であり、Ｖ２＝０．６Ｖである。
【００３０】
さらに、第１分圧ユニットの出力端子且つ／或いは定電圧ユニットの出力端子には、電圧フォロワが設置される。本実施例では、ＬＭ３５８ＤＲを利用して２つの電圧フォロワを提供し、それぞれ第１分圧ユニットの出力端子と定電圧ユニットの出力端子に接続されることによって、第１分圧ユニットと定電圧ユニットを絶縁する働きをする。
【００３１】
第２分圧ユニットは、第１入力端子と第２入力端子の間に直列接続された第５抵抗器と第６抵抗器を備え、第５抵抗器と前記第６抵抗器の間は、第２分圧ユニットの出力端子である。本実施例において、第５抵抗器は、直列接続されたＲ９とＲ１０によって構成される。Ｒ９の抵抗値は４１ｋΩであり、Ｒ１０の抵抗値は４２ｋΩであり、第５抵抗器の総抵抗値は８３ｋΩである。第６抵抗器は、直列接続されたＲ１１とＲ１２によって構成される。Ｒ１１の抵抗値は７ｋΩであり、Ｒ１２の抵抗値は８ｋΩであり、第６抵抗器の総抵抗値は１５ｋΩである。この他、さらにＲ９、Ｒ１０と並列接続されたＲ１３、及びＲ１１、Ｒ１２と並列接続されたＲ１４を設置することができ、Ｒ１３とＲ１４の抵抗値は、それぞれ１ＭΩであるとともに、オンオフによってＲ１３とＲ９、Ｒ１０が並列接続されるかされないか、Ｒ１４とＲ１１、Ｒ１２が並列接続されるかされないかが選択されることによって、第５抵抗器と第６抵抗器の抵抗値が微調整され、第２分圧ユニットが出力するＡＤＩＭの大きさを調整しやすくなる。
【００３２】
第５抵抗器と第６抵抗器の抵抗値に基づいて、算出することができ、第２分圧ユニットが出力するＡＤＩＭの範囲は、０．５０４Ｖから０．８４０Ｖの間である。
【００３３】
ＶＡＤＩＭ、Ｖ１、Ｖ２、及びＡＤＩＭの変化の状況は、表１に示す通りである。
【００３４】
【表１】
0006405043.tif 000002
【００３５】
本発明の実施例が提供するアナログ調光変換回路が２Ｄモードの時、０Ｖから３．３ＶのＶＡＤＩＭを０．５０４Ｖから０．８４０ＶのＡＤＩＭに変換することができるため、ＡＤＩＭの電圧範囲は、アナログ調光の効果的な調光範囲内になり、アナログ調光の調光範囲は、０Ｖから３．３Ｖに広げられ、アナログ調光の調光能力が向上される。
【００３６】
その他の実施方法において、第１分圧ユニット、第２分圧ユニット、定電圧ユニットの各抵抗器の抵抗値を対応して調整することによって、ＡＤＩＭは、さらに適した電圧範囲を取得することができ、様々なアナログ圧力調整場面に適応することで、様々なアナログ圧力調整精度が得られる。
【００３７】
３Ｄモードの時、３Ｄ＿ＥＤは３．３Ｖの高レベル信号であり、３Ｄ＿ＥＤは、ＡＤＩＭであるＤ１によって出力される。そのうち、Ｄ１は、約０．４Ｖに圧力低下したダイオードを選んで用いることができ、ＡＤＩＭの大きさは、約２．９Ｖである
【００３８】
本発明の実施例は、さらにアナログ調光回路と、上述の実施例が提供するアナログ調光変換回路と、からなる表示装置を提供する。アナログ調光変換回路は、アナログ調光入力信号ＶＡＤＩＭを受信し、ＶＡＤＩＭがアナログ調光出力信号ＡＤＩＭに変換されるとともに、アナログ調光回路にＡＤＩＭが出力される。その後、アナログ調光変回路は、ＡＤＩＭに基づいて表示装置のバックライト源のアナログ調光を行う。
【００３９】
本発明の実施例が提供する表示装置と上述の実施例が提供するアナログ調光変換回路は、同じ技術的特徴を備えるため、同じ技術的問題を解決することができ、同じ技術的効果を達成する。
【００４０】
本発明が開示する実施方法は、上述の通りであるが、上述の内容は、本発明を理解しやすくするために採用した実施方法に過ぎず、本発明はこれによって制限されない。本発明が属する技術領域内の技術者は皆、本発明が開示する精神と保護範囲を逸脱しない限り、実施形式において、及び詳細において変更し変化させることができるが、本発明の特許保護範囲は、付属される特許明細書によって定義される範囲を基準とする。
【符号の説明】
【００４１】
ＶＡＤＩＭ  アナログ調光入力信号
Ｖ１        第１中間電圧
Ｖ２        第２中間電圧
ＡＤＩＭ    アナログ調光出力信号
【図１】
0006405043.tif 000003
【図２】
0006405043.tif 000004